【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
サンゴを含んでなり、露出表面の第１の部分を少なくとも１つ含み、前記第１の部分が前記サンゴの露出表面の第２の部分の少なくとも１つに対して起立している軟骨修復用スカフォールドにおいて、前記第１の部分が、前記サンゴを軟骨修復部位内に厳密に配置及び固定する領域を少なくとも１つ含む、スカフォールド。
【請求項２】
サンゴの第１の部分の少なくとも１つが、前記第１の部分の長軸に沿った１又は２以上の中空に近接し、第２の部分の少なくとも１つが前記１又は２以上の中空と隣接する、請求項１に記載のスカフォールド。
【請求項３】
サンゴがサンゴの単一断片から切り出される、請求項１又は２に記載のスカフォールド。
【請求項４】
サンゴがハマサンゴ属の種に由来する、請求項１〜３のいずれかに記載のスカフォールド。
【請求項５】
サンゴがコブハマサンゴである、請求項４に記載のスカフォールド。
【請求項６】
サンゴがアナサンゴモドキ属の種に由来する、請求項１〜３のいずれかに記載のスカフォールド。
【請求項７】
サンゴがアナサンゴモドキである、請求項６に記載のスカフォールド。
【請求項８】
サンゴがミドリイシ属の種に由来する、請求項１〜３のいずれかに記載のスカフォールド。
【請求項９】
サンゴがクロマツミドリイシである、請求項８に記載のスカフォールド。
【請求項１０】
露出表面が、前記表面上の他の部分に対する複数の起立部分を含む、請求項１〜９のいずれかに記載のスカフォールド。
【請求項１１】
複数の起立部分が、スカフォールドの長軸に対して９０度の角度で配置される、請求項１０に記載のスカフォールド。
【請求項１２】
第１の複数の起立部分が、表面上で互いに対して規則的な距離を置いて配置される、請求項１０又は１１に記載のスカフォールド。
【請求項１３】
第１の複数の起立部分が、表面上で互いに対して不規則な距離を置いて配置される、請求項１０又は１１に記載のスカフォールド。
【請求項１４】
第１の複数の起立部分が、表面上で互いに対して等しい高さを有する、請求項１０〜１３のいずれかに記載のスカフォールド。
【請求項１５】
第１の複数の起立部分が、表面上で互いに対して等しくない高さを有する、請求項１０〜１３のいずれかに記載のスカフォールド。
【請求項１６】
第１の複数の起立部分が、表面上で互いに対して等しくない幅を有する、請求項１０〜１５のいずれかに記載のスカフォールド。
【請求項１７】
第１の複数の起立部分が、表面上で互いに対して等しい幅を有する、請求項１０〜１５のいずれかに記載のスカフォールド。
【請求項１８】
第１の複数の起立部分が、表面の別個の領域内に配置され、前記別個の領域は前記表面の１００％を占めない、請求項１０〜１７のいずれかに記載のスカフォールド。
【請求項１９】
第１の複数の起立部分が、表面の別個の領域内に配置され、前記別個の領域が前記表面の５０〜１００％を包含する、請求項１０〜１７のいずれかに記載のスカフォールド。
【請求項２０】
サンゴがスカフォールド全体を通して固形物である、請求項１〜１９のいずれかに記載のスカフォールド。
【請求項２１】
サンゴがポリマーコーティングを含む、請求項１〜２０のいずれかに記載のスカフォールド。
【請求項２２】
ポリマーコーティングが透過性である、請求項２１に記載のスカフォールド。
【請求項２３】
ポリマーコーティングが非連続的であり、任意で凝集体又は粒子の形である、請求項２１又は２２に記載のスカフォールド。
【請求項２４】
ポリマーが、コラーゲン、エラスチン、絹、ヒアルロン酸、キトサン、及びこれらのあらゆる組合せを含む天然ポリマーを含む、請求項２１〜２３のいずれかに記載のスカフォールド。
【請求項２５】
ポリマーが、合成生分解性ポリマーを含む、請求項２１〜２４のいずれかに記載のスカフォールド。
【請求項２６】
合成生分解性ポリマーが、ポリ−乳酸、ポリグリコール酸を含むアルファ−ヒドロキシ酸、これらのエナンチオマー、これらのコポリマー、ポリオルトエステル、及びこれらの組合せを含む、請求項２５に記載のスカフォールド。
【請求項２７】
ポリマーコーティングが０．０１μｍ〜２．０μｍの厚さを有する、請求項２１〜２６のいずれかに記載のスカフォールド。
【請求項２８】
ポリマーコーティングが２μｍ〜５０μｍの厚さを有する、請求項２１〜２６のいずれかに記載のスカフォールド。
【請求項２９】
ポリマーコーティングが５０μｍ〜１０００μｍの厚さを有する、請求項２１〜２６のいずれかに記載のスカフォールド。
【請求項３０】
ポリマーコーティングが、サイトカイン、骨形成タンパク質（ＢＭＰ）、キレート剤、細胞集団、治療化合物、又は抗生物質、又はこれらのあらゆる組合せを含む、請求項２１〜２９のいずれかに記載のスカフォールド。
【請求項３１】
キレート剤がＣａ２＋キレート剤を含む、請求項３０に記載のスカフォールド。
【請求項３２】
細胞集団が、間葉系幹細胞、軟骨細胞又は軟骨修復に関与する他の細胞又はこれらの組合せを含む、請求項３０又は３１に記載のスカフォールド。
【請求項３３】
治療化合物が、抗炎症性化合物、抗感染性化合物、成長因子、血管新生促進因子又はこれらの組合せを含む、請求項３０〜３２のいずれかに記載のスカフォールド。
【請求項３４】
最適な深さ及び角度が、露出表面の部分による骨の貫通を提供し、結果として前記露出表面が軟骨修復部位に近接する骨髄内に挿入される、請求項１〜３３のいずれかに記載のスカフォールド。
【請求項３５】
サンゴに細胞集団が播種されている、請求項１〜３４のいずれかに記載のスカフォールド。
【請求項３６】
細胞集団が、間葉系幹細胞及び／又は軟骨細胞及び／又は軟骨修復に関与する他の細胞を含む、請求項３５に記載のスカフォールド。
【請求項３７】
被験者の軟骨修復部位内に移植するために用いられる、請求項１〜３６のいずれかに記載のスカフォールドを含む軟骨修復の誘導又は亢進用移植材料であって、前記スカフォールドの領域が骨を貫通し、結果として前記領域が前記軟骨修復部位に近接する骨髄内に挿入される、前記移植材料。
【請求項３８】
細胞集団のスカフォールド上における接着、増殖又は分化、又はこれらの組合せを促進する、請求項３７に記載の移植材料。
【請求項３９】
細胞集団が、間葉系幹細胞、軟骨細胞又は軟骨修復に関与する他の細胞又はこれらの組合せを含む、請求項３８に記載の移植材料。
【請求項４０】
被験者が軟骨欠損又は軟骨障害に苦しむ、請求項３７〜３９のいずれかに記載の移植材料。
【請求項４１】
被験者がヒト被験者である、請求項３７〜４０のいずれかに記載の移植材料。
【請求項４２】
被験者が動物被験体である、請求項３７〜４０のいずれかに記載の移植材料。
【請求項４３】
軟骨欠損又は軟骨障害が、全層関節軟骨欠損若しくは部分的関節軟骨欠損；変形性関節症、骨軟骨症、虚血壊死、関節欠損又は外傷、スポーツ、病気若しくは反復運動によりもたらされる欠損を含む、請求項４０〜４２のいずれかに記載の移植材料。
【請求項４４】
スカフォールドが、円錐、鋲、ネジ、円柱、長方形棒、皿、円盤、角錐、粒、球又は立方体を含む形状を有する、請求項３７〜４３のいずれかに記載の移植材料。
【請求項４５】
軟骨修復を補助する器具であって、
・請求項１〜３６のいずれかに記載のスカフォールドを軟骨修復部位で最適な深さへと導く、請求項１〜３６のいずれかに記載のスカフォールドを軟骨修復部位で最適な角度へと導く、或いはこれらの組合せである、少なくとも１つのツール；
・軟骨修復部位内への移植後に請求項１〜３６のいずれかに記載のスカフォールドを処理する、少なくとも１つのツール；
・任意で、請求項１〜３６のいずれかに記載のスカフォールドによる骨の貫通と、軟骨修復部位に近接する骨髄内への前記スカフォールドの挿入とをもたらす、少なくとも１つのツール；
・任意で、請求項１〜３６のいずれかに記載のスカフォールドを軟骨修復部位で放出し、このことによって、前記スカフォールドの軟骨修復部位内への配置後に、前記スカフォールドから分離されてもよい、少なくとも１つのツール；
を含む器具。
【請求項４６】
スカフォールドの一部がツールに適合する領域を含む、請求項４５に記載の器具。
【請求項４７】
領域が、スカフォールドの軟骨修復部位内への配置後にツールから分離する、請求項４６に記載の器具。
【請求項４８】
スカフォールドからのツールの分離が、ＵＶ光活性化分離、レーザー活性化分離、ねじり依存分離又は化学的活性化分離又はこれらの組合せを含む、請求項４７に記載の器具。
【請求項４９】
ツールが、角度の付いた、曲がった或いは曲げることができる第１の部分を含む、請求項４５〜４８のいずれかに記載の器具。
【請求項５０】
請求項１〜３６のいずれかに記載のスカフォールド、請求項４５〜４９のいずれかに記載の器具、及び組織修復における前記スカフォールドの利用のための指示説明書を含む、軟骨修復用キット。
【請求項５１】
スカフォールドが異なる大きさ及び形状を有する、請求項５０に記載のキット。
【請求項５２】
軟骨修復部位に応じたスカフォールド、器具のセット、及び指示説明書を含む、請求項５０又は５１に記載のキット。
【請求項５３】
スカフォールドが、サンゴ粒子を内包するポリマー鋳型を含む、組織修復用スカフォールド。
【請求項５４】
ポリマーが、コラーゲン、エラスチン、絹、ヒアルロン酸、キトサン、及びこれらのあらゆる組合せを含む天然ポリマーを含む、請求項５３に記載のスカフォールド。
【請求項５５】
ポリマー鋳型が弾力性を有する、請求項５３又は５４に記載のスカフォールド。
【請求項５６】
ポリマー鋳型が硬質性である、請求項５３又は５４に記載のスカフォールド。
【請求項５７】
鋳型が、移植部位と接触するスカフォールドの表面積を最大化する、請求項５３〜５６のいずれかに記載のスカフォールド。
【請求項５８】
ポリマーが、軟骨形成及び／又は軟骨修復を亢進する、請求項５３〜５７のいずれかに記載のスカフォールド。
【請求項５９】
サンゴ粒子が、１〜１０μｍ又は５〜２０μｍ又は１０〜５０μｍの大きさにまで微粒子化される、請求項５３〜５８のいずれかに記載のスカフォールド。
【請求項６０】
サンゴがハマサンゴ属の種に由来する、請求項５３〜５９のいずれかに記載のスカフォールド。
【請求項６１】
サンゴがコブハマサンゴである、請求項６０に記載のスカフォールド。
【請求項６２】
サンゴがアナサンゴモドキ属の種に由来する、請求項５３〜５９のいずれかに記載のスカフォールド。
【請求項６３】
サンゴがアナサンゴモドキである、請求項６２に記載のスカフォールド。
【請求項６４】
サンゴがミドリイシ属の種に由来する、請求項５３〜５９のいずれかに記載のスカフォールド。
【請求項６５】
サンゴがクロマツミドリイシである、請求項６４に記載のスカフォールド。
【請求項６６】
ポリマーが透過性である、請求項５３〜６５のいずれかに記載のスカフォールド。
【請求項６７】
ポリマーが、コラーゲン、エラスチン、絹、ヒアルロン酸、キトサン、及びこれらのあらゆる組合せを含む天然ポリマーを含む、請求項５３〜６６のいずれかに記載のスカフォールド。
【請求項６８】
ポリマーが合成生分解性ポリマーを含む、請求項５３〜６７のいずれかに記載のスカフォールド。
【請求項６９】
合成生分解性ポリマーが、ポリ−乳酸、ポリグリコール酸を含むアルファ−ヒドロキシ酸、これらのエナンチオマー、これらのコポリマー、ポリオルトエステル、及びこれらの組合せを含む、請求項６８に記載のスカフォールド。
【請求項７０】
ポリマーコーティングが、０．０１μｍ〜２．０μｍの厚さを有する、請求項５３〜６９のいずれかに記載のスカフォールド。
【請求項７１】
ポリマーコーティングが、２μｍ〜５０μｍの厚さを有する、請求項５３〜６９のいずれかに記載のスカフォールド。
【請求項７２】
ポリマーコーティングが、５０μｍ〜１０００μｍの厚さを有する、請求項５３〜６９のいずれかに記載のスカフォールド。
【請求項７３】
ポリマーが、抗炎症性化合物、抗感染性化合物、成長因子、血管新生促進因子又はこれらの組合せを含む、請求項５３〜７２のいずれかに記載のスカフォールド。
【請求項７４】
塗布剤（pasting agent）を含む、請求項５３〜７３のいずれかに記載のスカフォールド。
【請求項７５】
塗布剤剤が、天然若しくは架橋ヒアルロン酸（ＨＡ）、コラーゲン又はフィブリノゲンを含む、請求項７４に記載のスカフォールド。
【請求項７６】
サイトカイン、骨形成タンパク質（ＢＭＰ）、キレート剤、細胞集団、治療化合物、又は抗生物質、又はこれらのあらゆる組合せを含む、請求項５３〜７５のいずれかに記載のスカフォールド。